(57)【要約】【課題】簡略な構成で、容易に電線の長さ調整が行えるワイヤハーネスを提供すること。【解決手段】伸長可能に曲折加工された曲折加工部として、コイル状に巻回されたコイル状巻回部３２を有し、コイル状巻回部３２を伸長させることにより両端部間の長さを調整可能な電線３と、電線３が挿通され、かつ、コイル状巻回部３２が収容される樹脂製の筒状部２２を有する外装部材２と、を備える。外装部材２は、伸縮性シート２０が筒状に曲成されて筒状部２２とされ、両端近傍部分に固定されているコイル状巻回部３２と一緒に、筒状部２２の筒芯方向に伸びるように構成される。【選択図】図３
2017130999.tif 000002
【特許請求の範囲】
【請求項１】
伸長可能に曲折加工された曲折加工部を有し、前記曲折加工部を伸長させることにより両端部間の長さを調整可能な電線と、
前記電線が挿通され、かつ、前記曲折加工部が収容される樹脂製の筒状部を有する外装部材と、を備えること特徴とするワイヤハーネス。
【請求項２】
前記外装部材は、前記筒状部の筒芯方向に伸びるように設けられ、両端に、前記電線の前記曲折加工部の両端近傍部分を固定する固定部を有することを特徴とする請求項１に記載のワイヤハーネス。
【請求項３】
前記外装部材は、伸縮性シートが筒状に曲成されて前記筒状部とされていることを特徴とする請求項２に記載のワイヤハーネス。
【請求項４】
前記外装部材は、コルゲートチューブにより構成され、一端に、前記電線の前記曲折加工部の一端を固定する固定部を有することを特徴とする請求項１に記載のワイヤハーネス。
【請求項５】
前記外装部材は、大径のコルゲートチューブと、前記大径のコルゲートチューブ内に収容された小径のコルゲートチューブにより構成され、
前記大径のコルゲートチューブの一端に、前記電線の前記曲折加工部の一端を固定する大径側固定部を有するとともに、
前記小径のコルゲートチューブの前記大径側固定部とは反対側の一端に、前記電線の前記曲折加工部の他端を固定する小径側固定部を有することを特徴とする請求項１に記載のワイヤハーネス。
【請求項６】
前記曲折加工部は、前記電線がコイル状に巻回されている構成であることを特徴とする請求項１〜５のいずれか一項に記載のワイヤハーネス。
【請求項７】
前記曲折加工部は、前記電線がつづら折れ形状に曲折されている構成であることを特徴とする請求項１〜５のいずれか一項に記載のワイヤハーネス。
【発明の詳細な説明】
【技術分野】
【０００１】
本発明は、ワイヤハーネスに関する。
【背景技術】
【０００２】
例えば、車両用のワイヤハーネスにおいては、車両のオプション回路の多様化に伴い、種々のオプション回路間を接続する長さの異なる複数のワイヤハーネスが必要とされている。そのため、従来から、電線の長さを調整可能なワイヤハーネスが知られている。
【０００３】
この種の従来のワイヤハーネスとしては、長さ調整用のプロテクタに通すワイヤハーネスを、プロテクタの裏側と内部の複数の電線挿通路とを通す順序を代えて電線の長さを短縮する（段落００２２、００２３、図４、図５参照）ものがあった（特許文献１参照）。
【０００４】
また、この種の従来の他のワイヤハーネスとしては、電線束を折り返すことができる調整用露出電線束を有する長さ調整部を連結用コルゲートチューブで外装し、調整用露出電線束が折り返された状態または真っ直ぐに延ばされた状態とすることで短尺用または長尺用として利用可能な（段落００１２〜００１８、図４、図５）ものがあった（特許文献２参照）。
【先行技術文献】
【特許文献】
【０００５】
【特許文献１】特開２０００−２１５７３６号公報
【特許文献２】特開平１０−３１２７１６号公報
【発明の概要】
【発明が解決しようとする課題】
【０００６】
上述したように、特許文献１に記載のものでは、電線の長さを調整する機構として、電線挿通路を複数に区分けする区分け用の凸部を設けた長さ調整用のプロテクタが必要であった。また、特許文献２に記載のものでは、上記機構として、電線束を折り返し可能に露出させた調整用露出電線束を有する長さ調整部が必要であった。
【０００７】
すなわち、従来のワイヤハーネスは、電線の長さ調整を行うために、電線挿通路を変更する機構や、電線の折り返し長さを変える機能などの特別な長さ調整機構が必要であり、ワイヤハーネスの構造が複雑化し、長さ調整作業も煩雑になるという問題点があった。
【０００８】
本発明は、上述のような課題を解決するためになされたもので、簡略な構成で、容易に電線の長さ調整が行えるワイヤハーネスを提供することを目的としている。
【課題を解決するための手段】
【０００９】
本発明に係るワイヤハーネスは、上記目的達成のため、伸長可能に曲折加工された曲折加工部を有し、前記曲折加工部を伸長させることにより両端部間の長さを調整可能な電線と、前記電線が挿通され、かつ、前記曲折加工部が収容される樹脂製の筒状部を有する外装部材と、を備える構成である。
【００１０】
上記構成により、曲折加工部を引き延ばして伸長させるだけで電線全体の長さ調整を行うことができ、従来のような特別な長さ調整機構が不要となる。
【００１１】
また、本発明に係るワイヤハーネスによれば、前記外装部材は、前記筒状部の筒芯方向に伸びるように設けられ、両端に、前記電線の前記曲折加工部の両端近傍部分を固定する固定部を有する構成である。
【００１２】
上記構成により、外装部材の両端と電線の曲折加工部の両端近傍とがそれぞれ固定部で固定されるため、外装部材も電線に追従して伸長するので、電線の長さに応じて外装部材を変える必要がなくなり、品番を少なくすることができる。
【００１３】
また、本発明に係るワイヤハーネスによれば、前記外装部材は、伸縮性シートが筒状に曲成されて前記筒状部とされている。
【００１４】
上記構成により、伸縮性シートを筒状に曲成して筒状部を有する外装部材を形成し、筒状部内に曲折加工部が収容されるように電線を挿通させることによって、長さ調整可能なワイヤハーネスを容易に作成可能となる。
【００１５】
また、本発明に係るワイヤハーネスによれば、前記外装部材は、コルゲートチューブにより構成され、一端に、前記電線の前記曲折加工部の一端を固定する固定部を有する構成である。
【００１６】
上記構成により、外装部材であるコルゲートチューブは、伸長しない代わりに、片側だけ曲折加工部の一端をテープで止めればよく、両端をテープで止める場合に比べて、テープの削減や工数の削減が可能である。
【００１７】
また、本発明に係るワイヤハーネスによれば、前記外装部材は、大径のコルゲートチューブと、前記大径のコルゲートチューブ内に収容された小径のコルゲートチューブにより構成され、前記大径のコルゲートチューブの一端に、前記電線の前記曲折加工部の一端を固定する大径側固定部を有するとともに、前記小径のコルゲートチューブの前記大径側固定部とは反対側の一端に、前記電線の前記曲折加工部の他端を固定する小径側固定部を有する構成である。
【００１８】
上記構成により、電線の曲折加工部が両方向に伸長するのに追従して大径コルゲートチューブ２６と小径コルゲートチューブ２７が互いに離れるように動くことで全体の長さを伸長させることが可能となる。
【００１９】
また、本発明に係るワイヤハーネスによれば、前記曲折加工部は、前記電線がコイル状に巻回されている構成である。
【００２０】
上記構成により、電線を棒状体に巻回してコイル状に成形することで、伸長可能な曲折加工部を容易に形成することができ、ワイヤハーネスの低コスト化が図れる。
【００２１】
また、本発明に係るワイヤハーネスによれば、前記曲折加工部は、前記電線がつづら折れ形状に曲折されている構成である。
【００２２】
上記構成により、電線をコイル状に成形すると電線にねじり応力がかかるのに対し、つづら折れ形状に成形することで、電線に曲げ応力がかかるようにすることができ、電線の特性によってかかる応力を選択可能となる。
【発明の効果】
【００２３】
本発明によれば、簡略な構成で、容易に電線の長さ調整が行えるワイヤハーネスを提供することができる。
【図面の簡単な説明】
【００２４】
【図１】図１（ａ）は、本発明の第１の実施の形態に係るワイヤハーネスの構造を示す正面図であり、図１（ｂ）は、図１（ａ）の左側面図である。
【図２】図２（ａ）は、本発明の第１の実施の形態に係るワイヤハーネスの外装部材として用いる伸縮性シートを示す図であり、図２（ｂ）は、図２（ａ）の伸縮性シートを両方向に延ばした状態を示す図である。
【図３】図３（ａ）は、第１の実施の形態に係るワイヤハーネスにおける外装部材の成形工程を示す概念図であり、図３（ｂ）は、電線の曲折加工工程を示す概念図であり、図３（ｃ）は、ワイヤハーネスの組み立て工程を示す概念図である。
【図４】図４（ａ）は、本発明の第１の実施の形態に係るワイヤハーネスの使用例を示す概念図であり、図４（ｂ）は、ワイヤハーネスの伸長時の使用例を示す概念図である。
【図５】図５（ａ）は、本発明の第１の実施の形態に係るワイヤハーネスの外装部材として用いる他の伸縮性シートを示す図であり、図５（ｂ）は、図５（ａ）の伸縮性シートを両方向に延ばした状態を示す図である。
【図６】本発明の第１の実施の形態に係るワイヤハーネスに適用する電線の変形例を示す図である。
【図７】本発明の第２の実施の形態に係るワイヤハーネスの構造を示す断面図である。
【図８】図８（ａ）は、本発明の第２の実施の形態に係るワイヤハーネスの使用例を示す概念図であり、図８（ｂ）は、ワイヤハーネスの伸長時の使用例を示す概念図である。
【図９】本発明の第３の実施の形態に係るワイヤハーネスの構造を示す断面図である。
【図１０】図１０（ａ）は、本発明の第３の実施の形態に係るワイヤハーネスの使用例を示す概念図であり、図１０（ｂ）は、ワイヤハーネスの伸長時の使用例を示す概念図である。
【発明を実施するための形態】
【００２５】
以下、本発明のワイヤハーネスの実施の形態について図面を参照して説明する。
【００２６】
〔第１の実施の形態〕
図１に示すように、第１の実施の形態に係るワイヤハーネス１は、樹脂製の筒状部２２を有する外装部材２と、外装部材２の筒状部２２内に挿通される電線３と、外装部材２の両端近傍部分で電線３をそれぞれ固定する固定部材４ａ，４ｂと、を備えている。
【００２７】
外装部材２は、例えば、図２（ａ）に示す方形の伸縮性シート２０を用いて構成される。伸縮性シート２０は、伸縮性を有する例えばポリ塩化ビニール製シート材で構成される。この例の伸縮性シート２０は、例えば、一定の方向に所定の長さで切り込まれた複数のスリット２１が複数列形成されている。伸縮性シート２０において、スリット２１は、その配列方向（切り込み方向）の位置が、各列で交互となるように配置されている。なお、伸縮性シート２０は、図２（ａ）に示すサイズ、形状のものに限らず、同じ構造を有する大サイズの原版伸縮性シート材から適宜なサイズ、形状に切り出して利用してもよい。
【００２８】
伸縮性シート２０は、例えば、図２（ａ）に示す引張力が作用しない状態から、図２（ｂ）に示す矢印ＡおよびＢに示す両方向に引っ張ることにより、ポリ塩化ビニール製シート材が持つ伸縮性によって、スリット２１が当該方向に拡張され、かつ、その他の部分も当該両方向に延びる。このように、伸縮性シート２０は、図２（ｂ）において矢印ＡおよびＢ両方向に延ばすことが可能となる。
【００２９】
図１に示すワイヤハーネス１において、外装部材２は、例えば、図２（ａ）に示す方形の伸縮性シート２０を、スリット２１の配列方向に筒状に折り曲げて筒状部２２として曲成することにより形成されたものである（図３（ａ）参照）。
【００３０】
外装部材２は、筒状部２２を有するものとして曲成された状態（図１参照）おいても、伸縮性シート２０のときと同様、矢印ＡおよびＢ両方向、すなわち、筒状部２２の筒芯方向へ延ばすことが可能である。
【００３１】
図１に示すワイヤハーネス１おいて、電線３は、絶縁被覆された単数または複数の電線３１の束が特定の領域で一定の長さに亘ってコイル状に繰り返し巻回されたコイル状巻回部３２（図１、図３（ｂ）参照）を有している。電線３のコイル状巻回部３２は、本実施の形態における伸長可能に曲折加工された曲折加工部を構成する。
【００３２】
電線３は、コイル状巻回部３２の両端より外側の部分は直線形状とされており、全体の長さが外装部材２の長さよりも長いものとなっている。電線３は、コイル状巻回部３２が外装部材２の筒状部２２内に収容され、コイル状巻回部３２の両端より外側部分が外装部材２の外側へと導出されるように外装部材２の筒状部２２の内部に挿通されている。
【００３３】
電線３は、外装部材２の筒状部２２に挿通された状態で、コイル状巻回部３２の両端の外側近傍位置で、外装部材２の両端のそれぞれ対応する位置に例えば固定部材４ａ，４ｂにより固定されている。言い換えれば、外装部材２は、電線３のコイル状巻回部３２の両端近傍部分を固定部材４ａ，４ｂにより固定している。
【００３４】
上記構造を有するワイヤハーネス１において、電線３は、例えば、コイル状巻回部３２の両端側の任意の位置を外側に向けて引っ張ることで、コイル状巻回部３２のコイル状の巻回によって縮んでいる部分を引き延ばしつつ全体の長さを伸長させることができる。他方、電線３のコイル状巻回部３２を覆う外装部材２は、上述したように、例えば、図１の矢印ＡおよびＢ両方向（筒芯方向）へ伸長可能であり、かつ、電線３のコイル状巻回部３２の両端近傍部分を固定している。これにより、ワイヤハーネス１は、図１に示すように、外装部材２、および電線３のコイル状巻回部３２を一緒に筒芯方向に伸長させることが可能となる。
【００３５】
次に、本実施の形態に係るワイヤハーネス１の製造工程について図３を参照して説明する。ここで、図３（ａ）は、ワイヤハーネス１における外装部材２の成形工程を示し、図３（ｂ）は、電線３の曲折加工工程を示し、図３（ｃ）は、ワイヤハーネス１の組み立て工程を示している。
【００３６】
外装部材２の成形工程においては、まず始めに、例えば、図２（ａ）に示す方形の伸縮性シート２０を用意する。次に、この伸縮性シート２０を、図３（ａ）に示すように、スリット２１の配列方向に該配列方向と直交する方向の両端辺２２ａ，２２ｂが対向して重なり合うまで丸めていく。この作業によって、伸縮性シート２０は、筒状に曲成されて筒状部２２を形成する。その後、伸縮性シート２０の両端辺２２ａ，２２ｂの重なりあった部分を例えば固定具２３を用いて固定し、筒状部２２を有する外装部材２を完成させる。なお、伸縮性シート２０の両端辺２２ａ，２２ｂは、接着剤で接着することにより固定してもよい。
【００３７】
電線３の曲折加工工程においては、電線３にコイル状の巻き癖をつけるための適宜な径の円筒棒状体を用意する。次に、電線３のコイル状巻回部３２とする特定の領域、すなわち、本実施の形態では中間部分を一定長に亘って円筒棒状体に複数回巻き付けて電線３に例えば図３（ｂ）に示すようなコイル状の巻き癖を付ける。その後、円筒棒状体を抜き取って巻き癖が残ったコイル状巻回部３２が形成された電線３を完成させる。
【００３８】
ワイヤハーネス１の組み立て工程においては、図３（ｃ）に示すように、図３（ａ）の成形工程で成形した外装部材２の筒状部２２の内部に、図３（ｂ）の曲折加工工程で作成したコイル状巻回部３２を有する電線３を挿通する。ここで、電線３は、コイル状巻回部３２が外装部材２の筒状部２２の内部に納まるように挿通する。その後、電線３のコイル状巻回部３２の直線状の両端部を、固定部材４ａ，４ｂを用いてそれぞれ外装部材２の対応する両端部に固定し、ワイヤハーネス１を完成させる。
【００３９】
次に、本実施の形態に係るワイヤハーネス１の使用例について図４を参照して説明する。本実施の形態に係るワイヤハーネス１は、例えば、車両７に搭載される各オプション回路間を接続するのに用いられるものである。なお、車両７に搭載されるオプション回路としては、例えば、フォグランプの駆動回路、コーナーセンサの駆動回路、車載カメラの駆動回路等がある。
【００４０】
図４（ａ）は、車両７に搭載されるオプション回路７１とオプション回路７２間を接続する場合におけるワイヤハーネス１の使用例を示している。図４（ｂ）は、車両７に搭載されるオプション回路７３とオプション回路７４間を接続する場合におけるワイヤハーネス１の使用例を示している。図４（ａ）、図４（ｂ）に示すように、オプション回路７１とオプション回路７２は、オプション回路７３とオプション回路７４間の距離よりも短い距離間隔で配置されている。
【００４１】
本実施の形態に係るワイヤハーネス１は、オプション回路７１とオプション回路７２を接続する場合、図４（ａ）に示すように、例えば、外装部材２および電線３のコイル状巻回部３２が伸長していない状態のままで使用される。この状態において、ワイヤハーネス１は、両端のコネクタ端子５１，５２までの全体の長さが例えば長さＬ２１に保たれている。そのうえで、ワイヤハーネス１は、電線３の両端のコネクタ端子５１，５２が、それぞれ、コネクタ７１１，７２１によって、オプション回路７１，７２にそれぞれ接続されている。
【００４２】
これに対し、オプション回路７３とオプション回路７４を接続する場合、ワイヤハーネス１は、図４（ｂ）に示す態様で用いられる、すなわち、ワイヤハーネス１は、外装部材２および電線３のコイル状巻回部３２が例えば全体の長さが長さＬ２２（Ｌ２２＞Ｌ２１）となるように、外装部材２の筒状部２２の筒芯方向に伸長された状態で使用される。
【００４３】
その際、作業者は、例えば、ワイヤハーネス１の電線３の一端のコネク端子５１をオプション回路７３のコネクタ７３１に接続したうえで、電線３の他端側をオプション回路７４に向けて筒状部２２の筒芯方向に引き延ばす作業を行う。これにより、ワイヤハーネス１は、外装部材２と電線３のコイル状巻回部３２とが一緒に上記筒芯方向に伸長する。その後、作業者は、ワイヤハーネス１を全体の長さが長さＬ２２（Ｌ２２＞Ｌ２１）となるまで外装部材２と電線３のコイル状巻回部３２をさらに引き延ばした後、電線３の他端のコネク端子５２をオプション回路７４のコネクタ７４１に接続する。
【００４４】
図４に示すように、本実施の形態に係るワイヤハーネス１は、外装部材２と電線３のコイル状巻回部３２とが一緒に外装部材２の筒状部２２の筒芯方向に伸長する構造を有するため、長尺用と短尺用の異なる長さを有するものとして共用できる。この場合、ワイヤハーネス１は、複数のオプション回路に適合するそれぞれ長さの異なるワイヤハーネスとして利用可能ながらも単一の品番で管理することができる。これにより、本実施の形態に係るワイヤハーネス１は、品番あたりの単価を低くすることができるとともに、品番管理の簡略化が可能になる。
【００４５】
（変形例）
本実施の形態に係るワイヤハーネス１において、外装部材２は、図２に示した伸縮性シート２０を用いて構成するものの他、例えば、図５に示す伸縮性シート２０Ａを用いて構成したものであってもよい。伸縮性シート２０Ａは、伸縮性を有する例えばビニール製のシート状線材２４，２５を斜め相互に交差させてメッシュ状に成形したものである。この伸縮性シート２０Ａを用いる場合において、予め決められた大サイズの原版伸縮性シート材を作成しておき、そこから適宜なサイズ、形状に切り出して利用してもよい。
【００４６】
伸縮性シート２０Ａは、図２に示す伸縮性シート２０と同様、図５（ａ）に示す状態から、図５（ｂ）に示す矢印ＡおよびＢ両方向に引っ張ることにより、矢印ＡおよびＢ両方向へ延ばすことができるものである。したがって、この伸縮性シート２０Ａを、図３（ａ）に示す筒状部２２を形成するように曲成させることで、図３（ｃ）に示す外装部材２と同様に、電線３のコイル状巻回部３２と一緒に上記両方向に伸長可能な変形例に係る図３（ａ）に示す外装部材２Ａを作成することができる。
【００４７】
また、本実施の形態に係るワイヤハーネス１において、電線３の変形例である電線３Ａとしては、外装部材２，２Ａと一緒に伸縮可能な、例えば、図６に示す構造の曲折加工部を設けたものであってもよい。図６に示す曲折加工部は、保護する電線３１の束が全体の長さを伸長可能につづら折れ形状に曲折加工されたつづら折れ形状部３２Ａによって構成されている。
【００４８】
ワイヤハーネス１は、伸縮性シート２０Ａを用いた外装部材２Ａ、および電線３Ａを用いて構成した場合も、外装部材２Ａと電線３Ａのつづら折れ形状部３２Ａとが一緒に筒状部２２の筒芯方向に伸長可能な構造を実現でき、長尺用と短尺用の異なる長さを有するものとして共用可能となる。
【００４９】
このように、本実施の形態に係るワイヤハーネス１は、伸長可能に曲折加工された曲折加工部（３２，３２Ａ）を有し、曲折加工部（３２，３２Ａ）を伸長させることにより両端部間の長さを調整可能な電線（３，３Ａ）と、電線（３，３Ａ）が挿通され、かつ、曲折加工部（３２，３２Ａ）が収容される筒状部２２を有する外装部材２，２Ａと、を備える構成である。
【００５０】
上記構成により、本実施の形態に係るワイヤハーネス１は、曲折加工部（３２，３２Ａ）を引き延ばして伸長させるだけで電線（３，３Ａ）全体の長さ調整を行うことができ、特別な長さ調整機構が不要となる。
【００５１】
また、本実施の形態に係るワイヤハーネス１によれば、外装部材２，２Ａは、筒状部２２の筒芯方向に伸びるように設けられ、両端に、電線（３，３Ａ）の曲折加工部（３２，３２Ａ）の両端近傍部分を固定する固定部材４ａ，４ｂを有する構成である。
【００５２】
上記構成により、本実施の形態に係るワイヤハーネス１は、外装部材２，２Ａの両端と電線（３，３Ａ）の曲折加工部（３２，３２Ａ）の両端近傍とがそれぞれ固定部材４ａ，４ｂで固定されるため、外装部材２，２Ａも電線（３，３Ａ）に追従して伸長するので、電線（３，３Ａ）の長さに応じて外装部材２，２Ａを変える必要がなくなり、品番を少なくすることができる。
【００５３】
また、本実施の形態に係るワイヤハーネス１は、外装部材２，２Ａは、両方向に延びる伸縮性シート２０，２０Ａ（図２、図３参照）が筒状に曲成されて筒状部２２とされている。
【００５４】
上記構成により、伸縮性シート２０，２０Ａを筒状に曲成して筒状部２２を有する外装部材２，２Ａを形成し、筒状部２２内に曲折加工部（３２，３２Ａ）が収容されるように電線（３，３Ａ）を挿通させることによって、長さ調整可能なワイヤハーネス１を容易に作成可能となる。
【００５５】
また、本実施の形態に係るワイヤハーネス１によれば、曲折加工部（３２）は、電線３がコイル状に巻回されている構成である。
【００５６】
上記構成により、本実施の形態に係るワイヤハーネス１は、電線３を円筒棒状体に巻回してコイル状に成形することで、伸長可能なコイル状巻回部３２を容易に形成することができ、低コスト化が図れる。
【００５７】
また、本実施の形態に係るワイヤハーネス１によれば、曲折加工部（３２Ａ）は、電線３Ａがつづら折れ形状に曲折されている構成である。
【００５８】
上記構成により、本実施の形態に係るワイヤハーネス１は、電線３Ａをコイル状に整形すると電線にねじり応力がかかるのに対し、つづら折れ形状に成形することで、電線に曲げ応力がかかるようにすることができ、電線の特性によってかかる応力を選択可能となる。このように、本実施の形態では、電線（３，３Ａ）を長さ調整可能に保持する従来のような特別な機構を不要とし、簡略な構成で、容易に電線（３，３Ａ）の長さ調整を行うことができる。
【００５９】
〔第２の実施の形態〕
次に、第２の実施の形態に係るワイヤハーネス１Ｂについて、図７を参照して説明する。なお、図７に示すワイヤハーネス１Ｂについては、図１に示す第１の実施の形態に係るワイヤハーネス１と同一の構成要素には同一符号を付けて説明を省略し、相違点を中心に説明する。
【００６０】
図７に示すように、本実施の形態に係るワイヤハーネス１Ｂは、第１の実施の形態に係るワイヤハーネス１における外装部材２に代えてコルゲートチューブ２Ｂを用いるものである。コルゲートチューブ２Ｂは、大径コルゲートチューブ２６と、大径コルゲートチューブ２６より小さい径を有する小径コルゲートチューブ２７とにより構成されている。大径コルゲートチューブ２６と小径コルゲートチューブ２７は、大径コルゲートチューブ２６の筒状部２２１の内部の一部に、小径コルゲートチューブ２７の一部が挿通されるように組み合わされている。すなわち、コルゲートチューブ２Ｂは、大径コルゲートチューブ２６と小径コルゲートチューブ２７を互いに重なり合う領域を保ちながら筒芯方向に移動させることで、伸縮自在な構造を有している。
【００６１】
大径コルゲートチューブ２６は、小径コルゲートチューブ２７の挿通側とは逆側の端部に、電線３のコイル状巻回部３２の一端を固定する大径側固定部材４ｃが設けられ、小径コルゲートチューブ２７は、大径コルゲートチューブ２６へ挿通する側とは逆側の端部に、電線３のコイル状巻回部３２の他端を固定する小径側固定部材４ｄが設けられる。
【００６２】
ワイヤハーネス１Ｂは、大径コルゲートチューブ２６の筒状部２２１と、小径コルゲートチューブ２６の筒状部２２２に亘り、例えば第１の実施の形態と同様の電線３が挿通されている。電線３は、コイル状巻回部３２の一端が大径コルゲートチューブ２６の大径側固定部４ｃにより固定されるとともに、コイル状巻回部３２の他端が小径コルゲートチューブ２７の小径側固定部４ｄにより固定されている。
【００６３】
このように、本実施の形態に係るワイヤハーネス１Ｂは、外装部材であるコルゲートチューブ２Ｂが、大径コルゲートチューブ２６と、大径コルゲートチューブ２６内に収容された小径コルゲートチューブ２７により構成され、大径コルゲートチューブ２６の一端に、電線３のコイル状巻回部３２の一端を固定する大径側固定部４ｃを有するとともに、小径コルゲートチューブ２７の大径側固定部４ｃとは反対側の一端に、電線３のコイル状巻回部３２の他端を固定する小径側固定部４ｄを有するものである。
【００６４】
上記構造を有するワイヤハーネス１Ｂにおいて、電線３は、コルゲートチューブ２Ｂの外側へと導出された両端側の任意の位置を外側に向けて引っ張ることで、コイル状巻回部３２のコイル状の巻回によって縮んでいる部分を引き延ばすことができる。
【００６５】
他方、電線３のコイル状巻回部３２を覆うコルゲートチューブ２Ｂでは、大径コルゲートチューブ２６と小径コルゲートチューブ２７が、電線３が引き延ばされる動きに追従し、互いに重なり合う領域を維持しながらも相互に離間する方向に移動する。
【００６６】
これにより、ワイヤハーネス１Ｂは、例えば、コルゲートチューブ２Ｂの両端で電線３を矢印ＡおよびＢ両方向に外側に向けて引張り、コイル状巻回部３２のコイル状の巻回によって縮んでいる部分を引き延ばしつつ、それに追従させて大径コルゲートチューブ２６と小径コルゲートチューブ２７を両者が離れる方向に移動させることによって全体の長さを伸長させることができる。
【００６７】
次に、本実施の形態に係るワイヤハーネス１Ｂの使用例について図８を参照して説明する。図８は、ワイヤハーネス１Ｂを、第１の実施の形態に係るワイヤハーネス１の使用環境（図４参照）と同様、車両７に搭載される各オプション回路間を接続する場合の使用例を示している。なお、図８において、コルゲートチューブ２Ｂは、便宜的に断面形状として示されている。
【００６８】
本実施の形態に係るワイヤハーネス１Ｂは、オプション回路７１とオプション回路７２を接続する場合、図８（ａ）に示すように、例えば、コルゲートチューブ２Ｂを構成する大径コルゲートチューブ２６、および小径コルゲートチューブ２７に挿通される電線３のコイル状巻回部３２が伸長していない状態で使用される。この状態において、ワイヤハーネス１Ｂは、両端のコネクタ端子５１，５２までの全体の長さが例えば長さＬ３１に保たれる。そのうえで、ワイヤハーネス１Ｂは、電線３の両端のコネクタ端子５１，５２が、それぞれ、コネクタ７１１，７２１によって、オプション回路７１，７２にそれぞれ接続される。
【００６９】
これに対し、オプション回路７３とオプション回路７４を接続する場合、ワイヤハーネス１Ｂは、図８（ｂ）に示すように、コルゲートチューブ２Ｂに挿通される電線３のコイル状巻回部３２を、例えば電線３の全体の長さが長さＬ３２（Ｌ３２＞Ｌ３１）となるまで大径コルゲートチューブ２６の筒状部２２１、および小径コルゲートチューブ２７の筒状部２２２を通して筒芯方向に伸長された状態で使用される。
【００７０】
その際、作業者は、例えば、ワイヤハーネス１Ｂの電線３の一端のコネク端子５１をオプション回路７３のコネクタ７３１に接続したうえで、電線３の他端側をオプション回路７４に向けて上記筒状部２２１および２２２の筒芯方向に引き延ばす作業を行う。これにより、ワイヤハーネス１Ｂは、電線３のコイル状巻回部３２が上記筒芯方向に伸長し、これに追従して大径コルゲートチューブ２６と小径コルゲートチューブ２７が互いに離れるように動くことでコルゲートチューブ２Ｂ全体の長さを伸長させる。
【００７１】
その後、作業者は、ワイヤハーネス１Ｂを全体の長さが長さＬ３２（Ｌ３２＞Ｌ３１）となるまで大径コルゲートチューブ２６および小径コルゲートチューブ２７間の距離と電線３のコイル状巻回部３２をさらに引き延ばした後、電線３の他端のコネク端子５２をオプション回路７４のコネクタ７４１に接続する。
【００７２】
なお、本実施の形態においても、電線３として、第１の実施の形態に係るワイヤハーネス１の変形例と同様、例えば、図６に示すつづら折れ形状部３２Ａを有する電線３Ａを採用してもよい。
【００７３】
このように、本実施の形態に係るワイヤハーネス１Ｂは、外装部材（コルゲートチューブ２Ｂ）が、大径コルゲートチューブ２６と、大径コルゲートチューブ２６内に収容された小径コルゲートチューブ２７により構成され、大径コルゲートチューブ２６の一端に、電線３の曲折加工部（コイル状巻回部３２、つづら折れ形状部３２Ａ）の一端を固定する大径側固定部４ｃを有するとともに、小径コルゲートチューブ２７の大径側固定部４ｃとは反対側の一端に、電線３の曲折加工部の他端を固定する小径側固定部４ｄを有する。この構成により、電線３の曲折加工部が両方向に伸長するのに追従して大径コルゲートチューブ２６と小径コルゲートチューブ２７が互いに離れるように動くことで全体の長さを伸長させることができる。よって、ワイヤハーネス１Ｂにおいても、第１の実施の形態に係るワイヤハーネス１Ｂと同様の作用効果が期待できる。
【００７４】
〔第３の実施の形態〕
次に、第３の実施の形態に係るワイヤハーネス１Ｃについて、図９を参照して説明する。なお、図９に示すワイヤハーネス１Ｃについては、図１に示す第１の実施の形態に係るワイヤハーネス１と同一の構成要素には同一符号を付けて説明を省略し、相違点を中心に説明する。
【００７５】
本実施の形態に係るワイヤハーネス１Ｃは、第１の実施の形態に係るワイヤハーネス１における外装部材２に代えてコルゲートチューブ２Ｃを用いるものである。すなわち、ワイヤハーネス１Ｃは、図９に示すように、筒状部２２３を有するコルゲートチューブ２Ｃと、コイル状巻回部３２を有し、コルゲートチューブ２Ｃの筒状部２２３の内部に挿通される電線３と、コルゲートチューブ２Ｃの筒状部２２３の一端で電線３のコイル状巻回部３２の一端部分をコルゲートチューブ２Ｃに対して固定する固定部材４ｅと、を備えている。
【００７６】
本実施の形態において、電線３は、コルゲートチューブ２Ｃに対してコイル状巻回部３２の一端部を固定すること以外は、第１の実施の形態と同様の構造である。すなわち、電線３は、コルゲートチューブ２Ｃにコイル状巻回部３２の一端部が固定され、挿通された状態において、コイル状巻回部３２でコイル状に巻回されている部分を矢印ＡおよびＢ両方向、すなわち、筒状部２２３の筒芯方向に伸長可能な構造を有する。ここで、電線３のコイル状巻回部３２は、外装部材２よりも短い長さで構成されている。具体的に、電線３のコイル状巻回部３２は、延びきった状態でもコルゲートチューブ２Ｃの筒状部２２３外へ出ることのない長さとしている。
【００７７】
次に、本実施の形態に係るワイヤハーネス１Ｃの使用例について図１０を参照して説明する。図１０は、ワイヤハーネス１Ｃを、第１の実施の形態に係るワイヤハーネス１の使用環境（図４参照）と同様、車両７に搭載される各オプション回路間を接続する場合の使用例を示している。なお、図１０において、コルゲートチューブ２Ｃは、便宜的に断面形状として示されている。
【００７８】
本実施の形態に係るワイヤハーネス１Ｃは、オプション回路７１とオプション回路７２を接続する場合、図１０（ａ）に示すように、例えば、コルゲートチューブ２Ｃに挿通される電線３のコイル状巻回部３２が伸長していない状態のままで使用される。この状態において、ワイヤハーネス１Ｃは、両端のコネクタ端子５１，５２までの全体の長さが例えば長さＬ４１に保たれる。そのうえで、ワイヤハーネス１Ｂは、電線３の両端のコネクタ端子５１，５２が、それぞれ、コネクタ７１１，７２１によって、オプション回路７１，７２にそれぞれ接続される。
【００７９】
これに対し、オプション回路７３とオプション回路７４を接続する場合、ワイヤハーネス１Ｃは、図１０（ｂ）に示すように、コルゲートチューブ２Ｃに挿通される電線３のコイル状巻回部３２を、例えば電線３の全体の長さが長さＬ４２（Ｌ４２＞Ｌ４１）となるまでコルゲートチューブ２Ｃの筒状部２２３の筒芯方向に伸長された状態で使用される。
【００８０】
その際、作業者は、例えば、ワイヤハーネス１Ｃの電線３の一端のコネク端子５１をオプション回路７３のコネクタ７３１に接続したうえで、電線３の他端側をオプション回路７４に向けてコルゲートチューブ２Ｃの筒状部２２３の筒芯方向に引き延ばす作業を行う。これにより、ワイヤハーネス１Ｃは、電線３のコイル状巻回部３２が上記筒芯方向に伸長する。その後、作業者は、ワイヤハーネス１Ｃを全体の長さが長さＬ４２（Ｌ４２＞Ｌ４１）となるまで筒状部２２３内の電線３のコイル状巻回部３２をさらに引き延ばした後、電線３の他端のコネク端子５２をオプション回路７４のコネクタ７４１に接続する。
【００８１】
なお、本実施の形態においても、電線３として、第１の実施の形態に係るワイヤハーネス１の変形例と同様、例えば、図６に示すつづら折れ形状部３２Ａを有する電線３Ａを採用してもよい。この場合も、つづら折れ形状部３２Ａは、延びきった状態でもコルゲートチューブ２Ｃの筒状部２２３外へ出ることのない長さとしている。
【００８２】
このように、本実施の形態に係るワイヤハーネス１Ｃは、外装部材がコルゲートチューブ２Ｃにより構成され、コルゲートチューブ２Ｃの筒状部２２３の内部に電線３が挿通されるとともに、筒状部２２３の一端に、電線３の曲折加工部（３２，３２Ａ）の一端を固定している構成である。
【００８３】
上記構成により、本実施の形態に係るワイヤハーネス１Ｃは、コルゲートチューブ２Ｃで電線３を外装し、かつ、コルゲートチューブ２Ｃと電線３の一端同士を固定部材４ｅで固定するため、外装部材であるコルゲートチューブ２Ｃは、伸長しない代わりに、片側だけ電線３の曲折加工部（３２，３２Ａ）の一端をテープで止めればよく、両端を止める場合に比べてテープの削減や工数の削減が可能である。よって、本実施の形態では、第１および第２の実施の形態と同様、電線３を長さ調整可能に保持する特別な機構を不要とし、簡略な構成で、容易に電線３の長さ調整を行うことができるという作用効果を奏する。
【００８４】
また、本実施の形態に係るワイヤハーネス１Ｃは、電線３の曲折加工部（３２，３２Ａ）が外装部材２よりも短い長さ、具体的には、延びきった状態でも筒状部２２３外へ出ることのない長さとしている。本実施の形態に係るワイヤハーネス１Ｃは、例えば、車両７のエンジンルームに実装することができる。エンジンルームは、内部の構造が人目につきやすいが、本実施の形態に係るワイヤハーネス１Ｃは、電線３の曲折加工部（３２，３２Ａ）が延びた状態でも人目に触れないようにすることで美観を維持できる。
【００８５】
〔その他の実施の形態〕
本発明は、上記実施の形態に限定されるものでなく、特許請求の範囲の技術的範囲には、発明の要旨を逸脱しない範囲内で種々、設計変更した形態が含まれる。例えば、第１の実施の形態おいて、外装部材２は、図２および図５に示す伸縮性シート２０，２０Ａ以外の構造を有する伸縮性シートを用いて構成してもよい。要するに、外装部材２は、筒状に曲成されて筒状部２２とされる場合にその筒芯方向に伸長可能な各種のシート材により構成することができる。また、電線（３，３Ａ）と外装部材（２，２Ａ）の組み合わせは、上述の実施の形態に限られず、電線３と外装部材２Ａの組み合わせ、電線３Ａと外装部材２の組み合わせも適宜選択可能である。
【００８６】
また、第１〜第３の実施の形態において、電線３，３Ａは、伸長できるように屈曲加工したものであれば、カール形状や、つづら折れ形状以外の曲折構造を有するものであってもよい。
【００８７】
以上説明したように、本発明によれば、簡略な構成で、容易に電線の長さ調整が行えるという効果を有し、１つの構造で複数の長さを共用する必要性のあるワイヤハーネスの全般に有用である。
【符号の説明】
【００８８】
１，１Ｂ，１Ｃ  ワイヤハーネス
２，２Ａ  外装部材
２Ｂ，２Ｃ  コルゲートチューブ（外装部材）
３，３Ａ  電線
４ａ，４ｂ，４ｅ  固定部材（固定部）
４ｃ  大径側固定部
４ｄ  小径側固定部
２０，２０Ａ  伸縮性シート
２１    スリット
２２  筒状部
２４，２５  シート状線材
２６  大径コルゲートチューブ（大径のコルゲートチューブ）
２７  小径コルゲートチューブ（小径のコルゲートチューブ）
３２  コイル状巻回部（曲折加工部）
３２Ａ  つづら折れ形状部（曲折加工部）
２２１，２２２，２２３  筒状部
【図１】
2017130999.tif 000003
【図２】
2017130999.tif 000004
【図３】
2017130999.tif 000005
【図４】
2017130999.tif 000006
【図５】
2017130999.tif 000007
【図６】
2017130999.tif 000008
【図７】
2017130999.tif 000009
【図８】
2017130999.tif 000010
【図９】
2017130999.tif 000011
【図１０】
2017130999.tif 000012